(57)【要約】【課題】被撮像物からの反射光と参照光との干渉を利用して容器内の被撮像物を撮像する技術において、容器の壁部を介して撮像される断層画像における焦点位置を特定する。【解決手段】物体光学系が壁部の第１主面および第２主面に合焦するときの焦点位置調整量をそれぞれ第１および第２調整量とする。物体系光路における参照基準面を壁部の内部に設定し、かつ物体光学系の焦点位置調整量を第２調整量に設定した干渉信号に基づく反射光強度分布から求められる参照基準面と第２主面との距離を第１距離、第１位置と前記第２位置との間の距離を第２距離とする。物体光学系の焦点位置調整量が第３調整量に設定されて取得された干渉信号から求められる反射光強度分布において、第１主面との距離が、第３調整量と第２調整量との差に媒質の屈折率の２乗を乗じた値、第１距離および第２距離の和で表される位置を、物体光学系の焦点位置とする。【選択図】図９
2018132466.tif 000002
【特許請求の範囲】
【請求項１】
光透過性の壁部を有する容器に担持された媒質内の被撮像物を断層撮像する撮像方法において、
光源から出射される低コヒーレンス光が分岐された一の分岐光を前記被撮像物に入射させその反射光を前記壁部を介して物体光学系により集光した信号光と、他の一の分岐光から生成され参照ミラーで反射された参照光とが干渉して生じる干渉光を検出し、検出された前記干渉光に応じた干渉信号を出力する工程と、
前記干渉信号に基づき前記被撮像物の反射光強度分布を求め、該反射光強度分布から断層画像を作成する工程と
を備え、
前記信号光の光路長を物体光路長、前記参照光の光路長を参照光路長と称するとき、
前記物体光学系が前記壁部の主面のうち前記物体光学系側の第１主面に合焦するときの前記物体光学系の焦点位置調整量を第１調整量とし、
前記物体光学系が前記壁部の主面のうち前記被撮像物側の第２主面に合焦するときの前記物体光学系の焦点位置調整量を第２調整量とし、
前記物体光学系の焦点位置調整量が前記第１調整量であるときの前記物体光路長と前記参照光路長とが等しくなる第１位置よりも前記参照光路長が所定量だけ長い第２位置に前記参照ミラーを位置決めすることで、前記物体光の光路において前記物体光路長が前記参照光路長と等しくなる参照基準面を前記壁部の内部に設定し、かつ前記物体光学系の焦点位置調整量を前記第２調整量に設定したときの前記干渉信号を取得し、該干渉信号に基づく前記反射光強度分布から求められる前記参照基準面と前記第２主面との距離を第１距離とし、前記第１位置と前記第２位置との間の距離を第２距離として、
前記物体光学系の焦点位置調整量が前記第１調整量との間で前記第２調整量を挟む第３調整量に設定されて取得された前記干渉信号から求められる前記反射光強度分布において、前記光軸方向の前記第１主面との距離が、前記第３調整量と前記第２調整量との差に前記媒質の屈折率の２乗を乗じた値、前記第１距離、および前記第２距離の和で表される位置を、前記物体光学系の焦点位置とする撮像方法。
【請求項２】
前記物体光学系の光軸方向の焦点位置調整量を変更しながら前記信号光を検出して、前記信号光の強度が極大となる２つの反射面を探索し、該２つの反射面のうち前記物体光学系に近い側の一方を前記第１主面、他方を前記第２主面とみなす請求項１に記載の撮像方法。
【請求項３】
前記第２距離は、前記第１調整量と前記第２調整量との差に、前記壁部の屈折率としての仮定値の２乗を乗じた値以下に設定される請求項１または２に記載の撮像方法。
【請求項４】
前記焦点位置を示す情報が付加された前記断層画像を表示装置に表示させる請求項１ないし３のいずれかに記載の撮像方法。
【請求項５】
前記第３調整量をユーザから受け付けた設定入力に応じて設定し、前記参照ミラーの位置を前記第３調整量の設定値に応じて変更する請求項１ないし４のいずれかに記載の撮像方法。
【請求項６】
光透過性の壁部を有する容器に担持された媒質内の被撮像物を断層撮像する撮像装置において、
光源から出射される低コヒーレンス光が分岐された一の分岐光を前記被撮像物に入射させその反射光を前記壁部を介して物体光学系により集光した信号光と、他の一の分岐光から生成され参照ミラーで反射された参照光とが干渉して生じる干渉光を検出し、検出された前記干渉光に応じた干渉信号を出力する検出手段と、
前記干渉信号に基づき前記被撮像物の反射光強度分布を求め、該反射光強度分布から断層画像を作成する信号処理手段と、
前記物体光学系の光軸方向における前記物体光学系の焦点位置を変更する焦点位置調整手段と、
前記参照方向の光路に沿った方向における前記参照ミラーの位置を変更するミラー位置調整手段と、
前記断層画像における前記物体光学系の焦点位置を算出する焦点位置算出手段と
を備え、
前記信号光の光路長を物体光路長、前記参照光の光路長を参照光路長と称するとき、
前記物体光学系が前記壁部の主面のうち前記物体光学系側の第１主面に合焦するときの前記焦点位置調整手段による焦点位置調整量を第１調整量とし、前記物体光学系が前記壁部の主面のうち前記被撮像物側の第２主面に合焦するときの前記焦点位置調整手段による焦点位置調整量を第２調整量とし、
前記ミラー位置変更手段が、前記物体光学系の焦点位置調整量が前記第１調整量であるときの前記物体光路長と前記参照光路長とが等しくなる第１位置よりも前記参照光路長が所定量だけ長い第２位置に前記参照ミラーを位置決めすることで、前記物体光の光路において前記物体光路長が前記参照光路長と等しくなる参照基準面を前記壁部の内部に設定し、かつ、前記焦点位置調整手段が、前記物体光学系の焦点位置調整量を前記第２調整量に設定した状態で、前記検出手段が前記干渉信号を取得し、該干渉信号に基づく前記反射光強度分布から前記信号処理手段が求めた前記参照基準面と前記第２主面との距離を第１距離とし、前記第１位置と前記第２位置との間の距離を第２距離として、
前記焦点位置算出手段は、前記焦点位置調整手段が焦点位置調整量を前記第１調整量との間で前記第２調整量を挟む第３調整量に設定して取得された前記干渉信号から求められる前記反射光強度分布において、前記光軸方向の前記第１主面との距離が、前記第３調整量と前記第２調整量との差に前記媒質の屈折率の２乗を乗じた値、前記第１距離、および前記第２距離の和で表される位置を、前記物体光学系の焦点位置とする撮像装置。
【請求項７】
前記参照光の光路に、開閉可能なシャッター部材が設けられた請求項６に記載の撮像装置。
【請求項８】
前記焦点位置を示す情報が付加された前記断層画像を表示する表示手段を備える請求項６または７に記載の撮像装置。
【請求項９】
前記第３調整量に関する設定入力を受け付ける受付手段を備え、
該設定入力に応じて、前記焦点位置調整手段が前記物体光学系の焦点位置調整量を設定する請求項６ないし８のいずれかに記載の撮像装置。
【請求項１０】
前記受付手段は、前記参照ミラーの位置を変更するための設定入力を受け付け、該設定入力に応じて、前記ミラー位置調整手段が前記参照ミラーの位置を設定する請求項９に記載の撮像装置。
【発明の詳細な説明】
【技術分野】
【０００１】
この発明は、被撮像物からの反射光と参照光との干渉光成分を検出して撮像を行う技術に関し、特に光透過性を有する容器の壁部を介して被撮像物を撮像する技術に関するものである。
【背景技術】
【０００２】
医学や生化学の技術分野では、容器中で培養された細胞や微生物を観察することが行われる。観察対象となる細胞等に影響を与えることなく観察を行う方法として、顕微鏡等を用いて細胞等を撮像する技術が提案されている。このような技術の１つとして、光コヒーレンストモグラフィ（Optical Coherence Tomography；ＯＣＴ）技術を利用したものがある。この技術は、光源から出射される低コヒーレンス光を照明光として被撮像物に入射させ、被撮像物からの反射光（信号光）と光路長が既知である参照光との干渉光を検出することで、被撮像物からの反射光の深さ方向における強度分布を求めて断層画像化するものである。
【０００３】
ＯＣＴ撮像技術においては、画像品質に影響を与える因子として、被撮像物から反射される信号光を集光する物体光学系の焦点の設定位置と、信号光の光路上において信号光の光路長が参照光の光路長と等しくなる仮想的な面である参照基準面（コヒーレンスゲートとも呼ばれる）の設定位置とがある。すなわち、信号光に被撮像物の鮮明な情報が含まれるのは焦点位置の近傍であり、干渉光の強度が強くなり被撮像物の情報を精度よく取り出せるのは参照基準面の近傍である。良好な画像品質を得るためにはこれらの設定位置の調整が必要となる。しかしながら、撮像されたときの焦点位置および参照基準面の位置がどこにあったについては、撮像により得られた断層画像からは読み取れない。このため、詳しい知識を有していないユーザがこれらの設定を適切に行うことは容易でない。
【０００４】
信号光の光路長と参照光の光路長との光路長差を調整することで所期の品質の断層画像を得ようとする技術としては、例えば特許文献１に記載されたものがある。この技術は、コヒーレンスゲートの位置を多段階に変更しながら撮像を行い、それぞれで得られた画像からコヒーレンスゲートの最適位置を求めるというものである。この技術は眼科用機器を想定したものであり、開示されている装置は網膜を撮像するものである。
【先行技術文献】
【特許文献】
【０００５】
【特許文献１】特開２０１６−０１９６３５号公報
【発明の概要】
【発明が解決しようとする課題】
【０００６】
容器中に担持された細胞等を被撮像物とする場合、光透過性を有する容器の壁部（例えば底部）を介して撮像が行われる場合がある。このような場合、信号光は容器壁部を介して集光されることとなり、容器での信号光の屈折により、被撮像物における焦点位置は容器を介さない場合の焦点位置とは異なったものとなる。そして、容器としては壁部の厚さや屈折率において種々のものが使用され得る。このような場合の断層画像における焦点位置を把握する方法は確立されておらず、焦点位置および参照光路長の調整がさらに困難になっているという問題があった。
【０００７】
この発明は上記課題に鑑みなされたものであり、被撮像物からの反射光と参照光との干渉を利用して容器内の被撮像物を撮像する技術において、容器の壁部を介して撮像される断層画像における焦点位置を特定することのできる技術を提供することを目的とする。
【課題を解決するための手段】
【０００８】
この発明の一の態様は、光透過性の壁部を有する容器に担持された媒質内の被撮像物を断層撮像する撮像方法であって、光源から出射される低コヒーレンス光が分岐された一の分岐光を前記被撮像物に入射させその反射光を前記壁部を介して物体光学系により集光した信号光と、他の一の分岐光から生成され参照ミラーで反射された参照光とが干渉して生じる干渉光を検出し、検出された前記干渉光に応じた干渉信号を出力する工程と、前記干渉信号に基づき前記被撮像物の反射光強度分布を求め、該反射光強度分布から断層画像を作成する工程とを備えている。
【０００９】
また、この発明の他の態様は、光透過性の壁部を有する容器に担持された媒質内の被撮像物を断層撮像する撮像装置であって、光源から出射される低コヒーレンス光が分岐された一の分岐光を前記被撮像物に入射させその反射光を前記壁部を介して物体光学系により集光した信号光と、他の一の分岐光から生成され参照ミラーで反射された参照光とが干渉して生じる干渉光を検出し、検出された前記干渉光に応じた干渉信号を出力する検出手段と、前記干渉信号に基づき前記被撮像物の反射光強度分布を求め、該反射光強度分布から断層画像を作成する信号処理手段と、前記物体光学系の光軸方向における前記物体光学系の焦点位置を変更する焦点位置調整手段と、前記参照方向の光路に沿った方向における前記参照ミラーの位置を変更するミラー位置調整手段と、前記断層画像における前記物体光学系の焦点位置を算出する焦点位置算出手段とを備えている。
【００１０】
そして、これらの発明では、上記目的を達成するため、前記信号光の光路長を物体光路長、前記参照光の光路長を参照光路長と称するとき、前記物体光学系が前記壁部の主面のうち前記物体光学系側の第１主面に合焦するときの前記物体光学系の焦点位置調整量を第１調整量とし、前記物体光学系が前記壁部の主面のうち前記被撮像物側の第２主面に合焦するときの前記物体光学系の焦点位置調整量を第２調整量とし、前記物体光学系の焦点位置調整量が前記第１調整量であるときの前記物体光路長と前記参照光路長とが等しくなる第１位置よりも前記参照光路長が所定量だけ長い第２位置に前記参照ミラーを位置決めすることで、前記物体光の光路において前記物体光路長が前記参照光路長と等しくなる参照基準面を前記壁部の内部に設定し、かつ前記物体光学系の焦点位置調整量を前記第２調整量に設定したときの前記干渉信号を取得し、該干渉信号に基づく前記反射光強度分布から求められる前記参照基準面と前記第２主面との距離を第１距離とし、前記第１位置と前記第２位置との間の距離を第２距離として、前記物体光学系の焦点位置調整量が前記第１調整量との間で前記第２調整量を挟む第３調整量に設定されて取得された前記干渉信号から求められる前記反射光強度分布において、前記光軸方向の前記第１主面との距離が、前記第３調整量と前記第２調整量との差に前記媒質の屈折率の２乗を乗じた値、前記第１距離、および前記第２距離の和で表される位置が、前記物体光学系の焦点位置とされる。
【００１１】
ここで、「焦点位置調整量」とは、物体光学系を操作することで得られる空気中での焦点位置の移動量を意味している。例えば焦点位置調整量を第１調整量から第２調整量に変更した場合、空気中であれば、焦点位置は第１調整量と第２調整量との差に相当する量だけ変化する。一方、容器の壁部を介して容器内の媒質中で合焦させる場合の焦点位置は、容器および媒質の屈折率の影響により空気中での焦点位置および変化量とは一致しない。
【００１２】
光が容器の壁部を通過する場合、その光路長と物理的な長さとは容器の屈折率を介して相互に変換され得る。本発明の場合、焦点位置調整量の変化量と焦点位置の変化量とが容器の屈折率を介して相互に変換可能ということになるが、容器壁部の厚さや屈折率は様々であるため、断層画像における焦点位置を正しく特定することが困難となっている。
【００１３】
本発明では、以下のようにして断層画像における焦点位置を特定することができる。まず、物体光学系が壁部の主面のうち物体光学系側の第１主面に合焦するときの物体光学系の焦点位置調整量を第１調整量とする。また、壁部の主面のうち第１主面とは反対の、つまり被撮像物側の第２主面に合焦するときの物体光学系の焦点位置調整量を第２調整量とする。第１主面および第２主面は強い反射面であるから、例えば物体光学系の焦点位置を変化させながら強い反射光が検出される位置を探索することで特定可能である。
【００１４】
ここで、第１主面からの反射光は容器内を通過していないから、そのときの物体光路長は容器の屈折率に影響されない。したがって、物体光学系が第１主面に合焦するときの物体光路長は第１調整量から特定することができ、このときの物体光路長と参照光路長とを一致させるための参照ミラーの位置も容易に求められる。これが本発明の第１位置である。
【００１５】
一方、参照ミラーを、第１位置よりも参照光路長が長くなる方向に寄った位置に位置決めし、物体光路長が参照光路長と同じ長さになる参照基準面を容器壁部の内部に設定した状態を考える。このときの参照ミラーの位置が本発明の第２位置である。第１位置と第２位置との間の距離、すなわち本発明の第２距離は、第１主面から参照基準面までの光路長に等しく、したがって容器壁部内に仮想的に設定される参照基準面と第１主面との物理的距離に壁部の屈折率を乗じた値と等しい。
【００１６】
また、同じ状態で取得された干渉信号に基づき求められる反射光強度分布のプロファイルにおいては、入射光の光路上に存在する反射面からの反射光に対応する成分が、参照基準面の位置を基準とする当該反射面の深さに応じた位置に現れる。参照基準面が容器壁部の内部に設定された状態では、参照基準面よりも深い方向、つまり物体光路長が参照光路長よりも長くなる方向において最初に現れる強い反射面は第２主面である。そして、その深さは容器壁部内に仮想的に設定される参照基準面と第２主面との間の光路長に等しく、両者の物理的距離に壁部の屈折率を乗じた値と等しい。この値が本発明の第１距離である。
【００１７】
したがって、第１距離と第２距離との和は、光が容器の壁部を通過するときの光路長、いわば壁部の光学的な厚さに相当する。このように、容器の壁部の屈折率や物理的厚さがわかっていなくても、実際に光を入射させて得られる信号を検出することで、容器壁部の屈折率と物理的厚さとの積で表される光学的な厚さを特定することが可能である。
【００１８】
さらに、物体光学系を第１主面に合焦させるための第１調整量と第２主面に合焦させるための第２調整量との差は、容器壁部の物理的厚さをその屈折率で除した値に等しい。このように、壁部の物理的厚さに屈折率を乗じた値、および壁部の物理的厚さを屈折率で除した値の双方が求められれば、物理的厚さ、屈折率のそれぞれを個別に求めることも可能である。
【００１９】
これらの情報から、焦点位置調整量が第３調整量に設定された状態で取得された断層画像において、実際の焦点位置がどこにあったかを特定することを考える。なお、断層画像における被撮像物の深さ方向位置は撮像時の参照光路長の設定によって変動する。より一般的には、断層画像の基となる反射光強度分布において、物理的な位置が既知である基準物に対応する成分の位置に対する相対位置として焦点位置が特定されれば足りる。これらの相対位置は両者間の物体光路長の差によって決まり、参照光路長の設定によらないからである。
【００２０】
ここでは、容器の第１主面を基準として用いる。物体光学系を第１主面に合焦させるための焦点位置の位置調整量およびそのときの物体光路長と参照光路長とを一致させるための参照ミラーの位置は既に判っている。したがって、第１主面を基準として焦点位置を表すことができれば、このときの参照ミラーの位置と撮像時の参照ミラーの位置との関係から、断層画像中における絶対的な焦点位置を特定することが可能である。
【００２１】
まず反射光強度分布における第２主面と焦点位置との距離を考える。第２主面と焦点位置との間に容器の壁部は存在しないので、容器に担持された媒質を通過する光だけを考えればよい。位置調整量を第２主面に合焦する第２調整量から第３調整量に変化させたときの媒質内における焦点位置の物理的な変化量は、第２調整量と第３調整量との差に媒質の屈折率を乗じたものである。
【００２２】
一方、反射光強度分布において、第２主面に対応する成分の現れる位置と焦点位置との距離は、両者の物理的な距離と媒質の屈折率との積により表される。上記のように両者の物理的距離は第２調整量と第３調整量との差に媒質の屈折率を乗じたものであるから、第２調整量と第３調整量との差に媒質の屈折率の２乗を乗じた値が、反射光強度分布における第２主面と焦点位置との距離を表す。この値に、反射光強度分布のプロファイル中での第１主面と第２主面との距離、つまり容器壁部の光学的厚さを加算することで、第１主面を基準としたときの焦点位置が求められる。結局、反射光強度分布において第１主面を基準としたときの焦点位置は、第２調整量と第３調整量との差に媒質の屈折率の２乗を乗じた値と、第１距離と、第２距離との和により表すことができる。
【００２３】
このようにして反射光強度分布における焦点位置が特定されれば、例えば断層画像においてどの位置に合焦しているかを明示することが可能となる。これにより、例えばユーザが断層画像を見ながら被撮像物中の所望の位置に焦点位置を移動させるという操作が可能となる。また、断層画像中で焦点位置がどこに表示されるかは撮像時の参照光路長に依存するので、参照光路長の変更設定により、断層画像中における焦点位置の表示位置を任意に設定することが可能となる。
【発明の効果】
【００２４】
上記のように、本発明によれば、反射光強度分布における焦点位置を、第１主面の位置に対する相対位置として特定することが可能である。実際に検出される光から得られる情報に基づき焦点位置が特定されるので、この方法は、容器壁部の厚さや屈折率が未知であっても成立する。
【図面の簡単な説明】
【００２５】
【図１】本発明にかかる撮像装置の一実施形態を示す図である。
【図２】この撮像装置における撮像原理を説明する図である。
【図３】ＯＣＴ装置の具体的構成例を示す図である。
【図４】物体光学系の焦点深さと参照基準面との位置関係を模式的に示す図である。
【図５】参照基準面の位置と反射光強度分布との関係を示す図である。
【図６】容器を介して集光する場合の光路を模式的に示す図である。
【図７】焦点位置特定処理の原理を示す図である。
【図８】物体光学系が容器底面に合焦する条件を特定する処理を示す図である。
【図９】容器底部の光学的厚さを求めるための処理の原理を示す図である。
【図１０】参照光路長と焦点位置との関係を示す図である。
【図１１】焦点位置と参照光路長との関係を特定するための処理を示すフローチャートである。
【図１２】この撮像装置における撮像処理を示すフローチャートである。
【発明を実施するための形態】
【００２６】
図１は本発明にかかる撮像装置の一実施形態を示す図である。この撮像装置１は、培地Ｍ中で培養された細胞や、多数の細胞からなるスフェロイド（細胞集塊）、組織様構造体など（以下、「細胞等」と総称する）を被撮像物として断層撮像し、得られた断層画像を画像処理して、被撮像物の立体像を作成する。なお、ここでは培地中のスフェロイドを被撮像物とした例を説明するが、被撮像物はこれに限定されない。以下の各図における方向を統一的に示すために、図１に示すようにＸＹＺ直交座標軸を設定する。ここでＸＹ平面が水平面を表す。また、Ｚ軸が鉛直軸を表し、より詳しくは（−Ｚ）方向が鉛直下向き方向を表している。
【００２７】
撮像装置１は保持部１０を備えている。保持部１０は、ガラス製または樹脂製の透明で均質な平底を有する浅皿状のディッシュと呼ばれる容器１１を、その開口面を上向きにして略水平姿勢に保持する。容器１１には予め適宜の培地Ｍが所定量注入されており、培地中では容器１１の底部１１１付近にスフェロイドＳｐが培養されている。図１では１つのスフェロイドＳｐのみが記載されているが、１つの容器１１内で複数のスフェロイドＳｐが培養されていてもよい。
【００２８】
保持部１０により保持された容器１１の下方に、撮像ユニット２０が配置される。撮像ユニット２０には、被撮像物の断層画像を非接触、非破壊（非侵襲）で撮像することが可能な光干渉断層撮像（Optical Coherence Tomography；ＯＣＴ）装置が用いられる。詳しくは後述するが、ＯＣＴ装置である撮像ユニット２０は、被撮像物への照明光を発生する光源２１と、ビームスプリッタ２２と、物体光学系２３と、参照ミラー２４と、分光器２５と、光検出器２６とを備えている。
【００２９】
また、撮像装置１はさらに、装置の動作を制御する制御ユニット３０と、撮像ユニット２０の可動機構を制御する駆動制御部４０とを備えている。制御ユニット３０は、ＣＰＵ（Central Processing Unit）３１、Ａ／Ｄコンバータ３２、信号処理部３３、３Ｄ復元部３４、インターフェース（ＩＦ）部３５、画像メモリ３６およびメモリ３７を備えている。
【００３０】
ＣＰＵ３１は、所定の制御プログラムを実行することで装置全体の動作を司り、ＣＰＵ３１が実行する制御プログラムや処理中に生成したデータはメモリ３７に保存される。Ａ／Ｄコンバータ３２は、撮像ユニット２０の光検出器２６から受光光量に応じて出力される信号をデジタルデータに変換する。信号処理部３３は、Ａ／Ｄコンバータ３２から出力されるデジタルデータに基づき後述する信号処理を行って、被撮像物の断層画像を作成する。３Ｄ復元部３４は、撮像された複数の断層画像の画像データに基づいて、撮像された細胞集塊の立体像（３Ｄ像）を作成する機能を有する。信号処理部３３により作成された断層画像の画像データおよび３Ｄ復元部３４により作成された立体像の画像データは、画像メモリ３６により適宜記憶保存される。
【００３１】
インターフェース部３５は撮像装置１と外部との通信を担う。具体的には、インターフェース部３５は、外部機器と通信を行うための通信機能と、ユーザからの操作入力を受け付け、また各種の情報をユーザに報知するためのユーザインターフェース機能とを有する。この目的のために、インターフェース部３５には、装置の機能選択や動作条件設定などに関する操作入力を受け付け可能な例えばキーボード、マウス、タッチパネルなどの入力デバイス３５１と、信号処理部３３により作成された断層画像や３Ｄ復元部３４により作成された立体像など各種の処理結果を表示する例えば液晶ディスプレイからなる表示部３５２とが接続されている。
【００３２】
また、ＣＰＵ３１は駆動制御部４０に制御指令を与え、これに応じて駆動制御部４０は撮像ユニット２０の可動機構に所定の動作を行わせる。次に説明するように、駆動制御部４０により実行される撮像ユニット２０の走査移動と、光検出器２６による受光光量の検出との組み合わせにより、被撮像物であるスフェロイド（細胞集塊）の断層画像が取得される。
【００３３】
図２はこの撮像装置における撮像原理を説明する図である。より具体的には、図２（ａ）は撮像ユニット２０における光路を示す図であり、図２（ｂ）はスフェロイドの断層撮像の様子を模式的に示す図である。前記したように、撮像ユニット２０は光干渉断層撮像（ＯＣＴ）装置として機能するものである。
【００３４】
撮像ユニット２０では、例えば発光ダイオードまたはスーパールミネッセントダイオード（ＳＬＤ）などの発光素子を有する光源２１から、広帯域の波長成分を含む低コヒーレンス光ビームＬ１が出射される。光ビームＬ１はビームスプリッタ２２に入射して分岐し、破線矢印で示すように一部の光Ｌ２が容器１１に向かい、一点鎖線矢印で示すように一部の光Ｌ３が参照ミラー２４に向かう。
【００３５】
容器１１に向かった光Ｌ２は、物体光学系２３を経て容器１１に入射する。より具体的には、ビームスプリッタ２２から出射される光Ｌ２は、物体光学系２３を介して容器底部１１１に入射する。物体光学系２３は、ビームスプリッタ２２から容器１１に向かう光Ｌ２を容器１１内の被撮像物（この場合にはスフェロイドＳｐ）に収束させる機能と、被撮像物から出射される反射光を集光してビームスプリッタ２２に向かわせる機能とを有する。図では物体光学系２３は単一の対物レンズにより代表的に表されているが、複数の光学素子が組み合わされたものであってもよい。
【００３６】
物体光学系２３は、駆動制御部４０に設けられた焦点調整機構４１により、Ｚ方向に移動可能に支持されている。これにより、被撮像物に対する物体光学系２３の焦点位置がＺ方向に変更可能となっている。以下、深さ方向（Ｚ方向）における物体光学系２３の焦点位置を「焦点深さ」と称することがある。物体光学系２３の光軸は鉛直方向と平行であり、したがって平面状の容器底部１１１に垂直である。また、物体光学系２３への照明光の入射方向は光軸と平行であり、その光中心が光軸と一致するように、物体光学系２３の配置が定められている。
【００３７】
ユーザが入力デバイス３５１を介して焦点深さの設定情報を与えることにより、焦点調整機構４１は設定情報に応じて物体光学系２３の焦点位置を変更する。具体的には、ユーザは設定入力として、焦点位置調整量、つまり物体光学系２３の焦点位置を所定の初期位置からどれだけ移動させるかを入力する。焦点調整機構４１は、例えば物体光学系２３に含まれる対物レンズを光軸方向に移動させることにより、焦点位置を変更することができる。この場合、対物レンズの移動量を焦点位置調整量とすることができる。１ステップ当たりの焦点位置の変化量が予め定められたステップ単位で焦点位置を調整する構成であってもよい。
【００３８】
スフェロイドＳｐが光Ｌ２に対する透過性を有するものでなければ、容器底部１１１を介して入射した光Ｌ２はスフェロイドＳｐの表面で反射される。一方、スフェロイドＳｐが光Ｌ２に対してある程度の透過性を有するものである場合、光Ｌ２はスフェロイドＳｐ内まで進入してその内部の構造物により反射される。光Ｌ２として例えば近赤外線を用いることで、入射光をスフェロイドＳｐ内部まで到達させることが可能である。スフェロイドＳｐからの反射光は散乱光として種々の方向に放射される。そのうち物体光学系２３の集光範囲内に放射された光Ｌ４が、物体光学系２３で集光されてビームスプリッタ２２へ送られる。
【００３９】
参照ミラー２４は、駆動制御部４０に設けられたミラー駆動機構４２により、その反射面を光Ｌ３の入射方向に対し垂直姿勢に、しかも、該入射方向に沿った方向（図ではＹ方向）に移動可能に支持されている。参照ミラー２４に入射した光Ｌ３は反射面で反射されて、入射光路を逆向きに辿るように進む光Ｌ５としてビームスプリッタ２２に向かう。この光Ｌ５が参照光となる。ミラー駆動機構４２により参照ミラー２４の位置が変更されることにより、参照光の光路長が変化する。参照ミラー２４の位置は撮像の用途に応じて自動的に設定されるほか、入力デバイス３５１を介したユーザからの設定入力に応じて適宜変更される。
【００４０】
参照光Ｌ３，Ｌ５の光路上には開閉自在のシャッター２７が設けられている。より具体的には、シャッター２７は駆動制御部４０により制御されており、駆動制御部４０からの制御指令によりシャッター２７が閉じられた状態では、シャッター２７は参照光Ｌ３の光路上で参照光Ｌ３を遮蔽する。したがって参照ミラー２４による反射光Ｌ５のビームスプリッタ２２への入射がなくなる。一方、シャッター２７が開かれた状態では、参照光Ｌ３が参照ミラー２４で反射され、反射光Ｌ５としてビームスプリッタ２２に入射する。
【００４１】
スフェロイドＳｐの表面もしくは内部の反射面で反射された反射光Ｌ４と、参照ミラー２４で反射された参照光Ｌ５とは、ビームスプリッタ２２を介して光検出器２６に入射する。このとき、反射光Ｌ４と参照光Ｌ５との間で位相差に起因する干渉が生じるが、干渉光の分光スペクトルは反射面の深さにより異なる。つまり、干渉光の分光スペクトルは被撮像物の深さ方向の情報を有している。したがって、干渉光を波長ごとに分光して光量を検出し、検出された干渉信号をフーリエ変換することにより、被撮像物の深さ方向における反射光強度分布を求めることができる。このような原理に基づくＯＣＴ撮像技術は、フーリエドメイン（Fourier Domain）ＯＣＴ（ＦＤ−ＯＣＴ）と称される。
【００４２】
この実施形態の撮像ユニット２０では、ビームスプリッタ２２から光検出器２６に至る干渉光の光路上に分光器２５が設けられている。分光器２５としては、例えばプリズムを利用したもの、回折格子を利用したもの等を用いることができる。干渉光は分光器２５により波長成分ごとに分光されて光検出器２６に受光される。
【００４３】
光検出器２６が検出した干渉光に応じて光検出器２６から出力される干渉信号をフーリエ変換することで、スフェロイドＳｐのうち、光ビームＬ２の入射位置における深さ方向、つまりＺ方向の反射光強度分布が求められる。容器１１に入射する光ビームＬ２をＸ方向に走査することで、ＸＺ平面と平行な平面における反射光強度分布が求められ、その結果から当該平面を断面とするスフェロイドＳｐの断層画像を作成することができる。以下、本明細書では、Ｘ方向へのビーム走査によってＸＺ平面と平行な断面における１つの断層画像Ｉｔを取得する一連の動作を、１回の撮像と称することとする。
【００４４】
また、Ｙ方向におけるビーム入射位置を多段階に変更しながら、その都度断層画像の撮像を行うことで、図２（ｂ）に示すように、スフェロイドＳｐをＸＺ平面と平行な断面で断層撮像した多数の断層画像Ｉｔを得ることができる。Ｙ方向の走査ピッチを小さくすれば、スフェロイドＳｐの立体構造を把握するのに十分な分解能の画像データを得ることができる。Ｘ方向およびＹ方向へのビーム走査は、例えば図示しないガルバノミラー等の光路を変化させる光学部品を用いてビーム入射位置をＸＹ方向に変化させる方法、スフェロイドＳｐを担持する容器１１と撮像ユニット２０とのいずれかをＸＹ方向に移動させてこれらの相対位置を変化させる方法などにより実現可能である。
【００４５】
なお、上記の原理説明では、撮像ユニット２０において光源２１からの光を照明光と参照光とに分岐させる分波機能、および信号光と参照光とを合成して干渉光を生じさせる機能がビームスプリッタ２２により実現されている。一方、近年では、ＯＣＴ装置においてこのような分波・合波機能を担うものとして、以下に例示するような光ファイバカプラが用いられる場合がある。
【００４６】
図３はＯＣＴ装置の具体的構成例を示す図である。なお、理解を容易にするために、以下の説明では、上記した原理図の構成と同一のまたは相当する構成に同一符号を付すものとする。その構造および機能は、特に説明のない限り上記原理図のものと基本的に同じであり、詳しい説明は省略する。また、光ファイバカプラによる干渉光を検出するＯＣＴ撮像原理も基本的に上記と同じであるので、詳しい説明を省略する。
【００４７】
図３（ａ）に示す構成例では、撮像ユニット２０ａは、ビームスプリッタ２２に代わる分波・合波器として光ファイバカプラ２２０を備えている。光ファイバカプラ２２０を構成する光ファイバの１つ２２１は光源２１に接続されており、光源２１から出射される低コヒーレンス光は、光ファイバカプラ２２０により２つの光ファイバ２２２，２２３への光に分岐される。光ファイバ２２２は物体系光路を構成する。より具体的には、光ファイバ２２２の端部から出射される光はコリメータレンズ２２３を介して物体光学系２３に入射する。被撮像物からの反射光（信号光）は物体光学系２３、コリメータレンズ２２３を介して光ファイバ２２２に入射する。
【００４８】
他の光ファイバ２２４は参照系光路を構成する。より具体的には、光ファイバ２２４の端部から出射される光はコリメータレンズ２２５を介して参照ミラー２４に入射する。参照ミラー２４からの反射光（参照光）はコリメータレンズ２２５を介して光ファイバ２２４に入射する。光ファイバ２２２を伝搬する信号光と光ファイバ２２４を伝搬する参照光とが光ファイバカプラ２２０において干渉し、干渉光が光ファイバ２２６および分光器２５を介して光検出器２６に入射する。光検出器２６により受光された干渉光から被撮像物における反射光の強度分布が求められることは上記原理通りである。
【００４９】
図３（ｂ）に示す例でも、撮像ユニット２０ｂに光ファイバカプラ２２０が設けられる。ただし光ファイバ２２４は使用されず、光ファイバ２２２から出射される光の光路に対してコリメータレンズ２２３およびビームスプリッタ２２７が設けられる。そして、前述の原理通り、ビームスプリッタ２２７により分岐される２つの光路にそれぞれ物体光学系２３、参照ミラー２４が配置される。このような構成ではビームスプリッタ２２７により信号光と参照光とが合成され、それにより生じた干渉光が光ファイバ２２２，２２６を通って光検出器２６へ導かれる。
【００５０】
これらの例では、図１では空間中を進行する各光の光路の一部が光ファイバに置き換えられているが動作原理は同じである。これらの例においても、焦点調整機構４１が物体光学系２３を容器１１に対し接近・離間方向に移動させることにより、被撮像物に対する物体光学系２３の焦点深さを調整することが可能である。また、ミラー駆動機構４２が参照ミラー２４を光の入射方向に沿って移動させることにより、参照光の光路長を変更可能である。
【００５１】
以下、この画像処理装置１による撮像動作について説明する。撮像ユニットの構成は、上記したビームスプリッタを用いるもの、光ファイバカプラを用いるもののいずれであっても同じ撮像動作が可能である。
【００５２】
図４は物体光学系の焦点深さと参照基準面との位置関係を模式的に示す図である。また、図５は参照基準面の位置と反射光強度分布との関係を示す図である。ＯＣＴ撮像装置では、その原理上、信号光の光路長が参照光の光路長と同じになる位置が、画像における深さ方向の基準位置となる。
【００５３】
以下の説明では、図４に示すように、物体光学系２３を介して照明光Ｌ２および信号光Ｌ４が伝搬する物体系光路において、参照系光路における参照ミラー２４の反射面と対応する、つまり互いの光路長が等しくなる位置にある仮想的な平面を参照基準面Ｓｒと称する。また、容器１１の底部１１１のうち物体光学系２３い近い側の表面を下部底面Ｓａ、これとは反対側の表面、つまり被撮像物であるスフェロイドＳｐに近い側の培地と接触する内底面を上部底面Ｓｂと称する。さらに、物体光学系２３の焦点面、つまり物体光学系２３の物体側焦点ＦＰを含み物体光学系２３の光軸ＡＸに垂直な平面を符号Ｓｆにより表す。また、以下では物体系光路における光路長を「物体光路長」、参照系光路における光路長を「参照光路長」と称する。
【００５４】
また、後の説明のために、下部底面Ｓａと上部底面Ｓｂとの距離、つまり容器底部１１１の厚さを符号Ｔにより表す。また、上部底面Ｓｂと焦点面Ｓｆとの距離、つまり容器１１の内底面から焦点ＦＰまでの距離を符号Ｄにより表す。この距離Ｄは、容器１１の内底面（上部底面Ｓｂ）を起点としたときの物体光学系２３の焦点深さであるということもできる。
【００５５】
物体系光路において参照基準面Ｓｒに仮想的な反射面があるとき、当該反射面で反射される光の光路長（物体光路長）は、参照ミラー２４の反射面で反射される光の光路長（参照光路長）と等しくなる。被撮像物近傍にある各反射面の深さ方向位置は、参照基準面ＳｒからのＺ方向距離により表される。
【００５６】
被撮像物（スフェロイドＳｐ）が焦点面Ｓｆに反射面を有するとき、フーリエ変換後の反射光強度分布においては、当該反射面からの反射光強度に対応する大きさの信号が、参照基準面Ｓｒから当該反射面（すなわち焦点面Ｓｆ）までの距離に対応する深さの位置に現れる。実際の被撮像物においては、種々の深さにある反射面からの反射光に対応する信号が各位置に現れ、反射光強度分布はそれらの信号が重畳されたものなる。ただし、ここでは理解を容易にするために、焦点面Ｓｆにある反射面からの信号のみを考えることとする。
【００５７】
容器底部１１１の平坦な表面Ｓａ、Ｓｂも強い反射面であり、反射光強度分布においては、これらに対応する信号が参照基準面Ｓｒからの距離に応じた位置にそれぞれ現れる。例えば図５に示すように、反射光強度分布においては焦点面Ｓｆに対応する信号Ｐｆ、下部底面Ｓａに対応する信号Ｐａ、上部底面Ｓｂに対応する信号Ｐｂが、それぞれ参照基準面Ｓｒからの距離に応じた位置に現れる。
【００５８】
この場合の「距離」は、厳密に言えば光路長の差である。このため、空気の屈折率とは異なる屈折率を有する容器１１および培地Ｍを通る物体系光路上の各面の物理的距離と、反射光強度分布に示される各面の光学的距離とは必ずしも同じではない。空気中の屈折率はほぼ１である。一方、容器１１の材料として広く使用されるガラスやアクリル樹脂等の屈折率はこれより大きく１．５程度、一般的な培地Ｍの主成分である水の屈折率は１．３３程度である。
【００５９】
以下では、空気の屈折率を１と近似し、容器１１の屈折率を符号Ｎｃ、培地Ｍの屈折率を符号Ｎｓにより表す。また、被撮像物が細胞等である場合、その屈折率は水とほとんど変わらないことが知られている。そこで、以下では被撮像物であるスフェロイドＳｐの屈折率も培地Ｍと等しいものとする。
【００６０】
図６は容器を介して集光する場合の光路を模式的に示す図である。上記したように、容器１１の屈折率Ｎｃは空気中よりも高く、また培地ＭおよびスフェロイドＳｐの屈折率Ｎｓは容器１１の屈折率Ｎｃよりも小さい。このため、図６に示すように、光は容器１１の下部底面Ｓａと空気との界面および上部底面Ｓｂと培地Ｍとの界面でそれぞれ屈折し、物体光学系２３から見たときの物体光学系２３の焦点面Ｓｆの深さは、空気中での焦点距離ＦＤとは異なる深さになる。
【００６１】
このように、容器１１表面での屈折により焦点位置が変動し、しかもその変動の態様は容器底部１１１の材料や厚さによって変わる。このため、ユーザは撮像により得られた断層画像においてどの位置に合焦しているかを正しく知ることができない。また物体光学系２３における焦点位置の調整量と被撮像物における焦点位置の変化量とが一致しないため、ユーザは所望の位置に焦点を合わせるために物体光学系２３にどのような設定入力を与えればよいのかがわからない。
【００６２】
断層画像がどの位置に合焦して撮像されたかが明らかになると、ユーザが焦点位置や参照光路長の調整を行う上で便宜である。この目的のために、容器１１を介した撮像において、屈折の影響も加味して断層画像中の焦点位置を特定することが必要となる。以下、これを可能とする本実施形態の焦点位置特定処理の原理および具体的な処理内容について説明する。
【００６３】
図７は焦点位置特定処理の原理を示す図である。図７に示すように、物体光学系２３が容器１１の下部底面Ｓａ内の点Ｆ１に合焦するケース、容器１１の上部底面Ｓｂ内の点Ｆ２に合焦するケース、および、培地Ｍ内の任意の点Ｆ３に合焦するケースを仮想的に考える。点Ｆ３を含む水平面が培地内に合焦するときの焦点面Ｓｆに相当する。そして、点Ｆ１、点Ｆ２、点Ｆ３にそれぞれ合焦させるための物体光学系２３の焦点位置調整量をそれぞれＯＰ１、ＯＰ２、ＯＰ３とする。
【００６４】
図４に示したように、容器底部１１１の物理的厚さは符号Ｔ、容器１１の上部底面Ｓｂと焦点面Ｓｆとの物理的距離は符号Ｄによりそれぞれ表される。また、容器１１の屈折率は符号Ｎｃ、培地Ｍ（およびスフェロイドＳｐ）の屈折率は符号Ｎｓにより表される。
【００６５】
なお、前記した通り、屈折率の異なる物質を介して進む光においては、光路の物理的な長さと光路長とが必ずしも一致しない。このため、以下では必要に応じて、Ｚ方向における物理的な距離を表す座標軸をＺｏ、光路長に対応する光学的な距離を表す座標軸をＺｒとして区別することとする。
【００６６】
物体光学系２３が容器１１の下部底面Ｓａに合焦した状態から焦点位置を変更し、上部底面Ｓｂに合焦させた場合を考えると、このときの焦点位置の移動量は容器底部１１１の厚さＴと等しい。一方、この移動を実現するための物体光学系２３の焦点位置調整量は、この間を埋める物質の屈折率Ｎｃを用いて次式：
｜ＯＰ２−ＯＰ１｜＝Ｔ／Ｎｃ  …  （１）
により表される。
【００６７】
同様に、物体光学系２３が容器１１の上部底面Ｓｂの点Ｆ２に合焦した状態から点Ｆ３に合焦した状態に変化させた場合を考えると、このときの焦点位置の移動量は容器１１の上部底面Ｓｂと焦点面Ｓｆとの距離Ｄと等しい。一方、この移動を実現するための物体光学系２３の焦点位置調整量は、この間を埋める物質の屈折率Ｎｓを用いて次式：
｜ＯＰ３−ＯＰ２｜＝Ｄ／Ｎｓ  …  （２）
により表される。
【００６８】
次に、検出された干渉光から求められる反射光強度分布のプロファイルにおいて各面Ｓａ、Ｓｂ、Ｓｆに対応する信号成分が現れる位置を考える。各成分間の間隔は各面間の光路長に相当するから、下部底面Ｓａに対応する信号Ｐａと上部底面Ｓｂに対応する信号Ｐｂとの距離は、両者の物理的距離Ｔにこの間の屈折率Ｎｃを乗じた値Ｔ・Ｎｃとなる。同様に、上部底面Ｓｂに対応する信号Ｐｂと焦点面Ｓｆに対応する信号Ｐｆとの距離は、両者の物理的距離Ｄにこの間の屈折率Ｎｓを乗じた値Ｄ・Ｎｓとなる。
【００６９】
反射光強度分布を表す座標軸Ｚｒにおいて各信号成分が出現する絶対的な位置は基準参照面の位置により変化するが、各信号成分間の距離は変化しない。したがって、反射光強度分布のプロファイル中における焦点位置については、プロファイル中に現れる特定の信号成分に対する相対位置として表すことができれば足りる。例えば容器１１の下部底面Ｓａの位置を基準として表すことができる。この位置を原点とするとき、図７から明らかなように、焦点位置Ｚｒｆは次式：
Ｚｒｆ＝Ｄ・Ｎｓ＋Ｔ・Ｎｃ  …  （３）
により表すことができる。これに式（２）を代入して、次式：
Ｚｒｆ＝｜ＯＰ３−ＯＰ２｜・Ｎｓ2＋Ｔ・Ｎｃ  …  （４）
が得られる。式（４）の右辺第１項は、容器１１の上部底面Ｓｂから焦点面Ｓｆまでの距離が、容器１１の上部底面Ｓｂに合焦した状態からの撮像時の焦点位置調整量と培地Ｍの屈折率Ｎｓとにより表されることを意味している。また、右辺第２項は容器底部１１１の光学的厚さを表している。
【００７０】
屈折率Ｎｓは培地Ｍの種類によって決まり培地Ｍが特定されればその値は既知である。したがって、任意の容器１１について、上部底面Ｓｂに合焦させるための焦点位置調整量ＯＰ２、容器底部１１１の光学的厚さＴ・Ｎｃが特定されれば、任意の焦点位置調整量ＯＰ３で撮像された断層画像における焦点位置Ｚｒｆを式（４）により求めることができる。以下、これらの値を特定するための具体的な処理内容の流れについて順に説明する。
【００７１】
図８は物体光学系が容器底面に合焦する条件を特定する処理を示す図である。図８に示すように、物体光学系２３と下部底面Ｓａとの距離が焦点距離ＦＤと等しいとき、物体光学系２３は下部底面Ｓａに合焦する。このときの焦点位置調整量が符号ＯＰ１により表される。このときの焦点位置調整量ＯＰ１を、以下では「第１調整量」と称する。物体光学系２３をさらに容器底部１１１に接近させることにより、物体光学系２３が上部底面Ｓｂに合焦する。このときの焦点位置調整量が符号ＯＰ２により表される。このときの焦点位置調整量ＯＰ２を、以下では「第２調整量」と称する。
【００７２】
図８に点線矢印で示すように、物体光学系２３を容器底部１１１に接近させてゆき、光検出器２６に入射する信号光の強度を検出する。物体光学液２３の焦点が容器底部１１１の外部にある状態では空気中での光の伝搬のみを考えればよいから、物体光学系２３の焦点距離ＦＤが既知であれば焦点位置の初期位置については比較的容易に調整を行うことが可能である。
【００７３】
このとき、参照光の光路を遮蔽するシャッター２７は閉じられた状態とされる。したがって、光検出器２６に入射する光は信号光と参照光との干渉光ではなく、信号光のみである。分光器２５から光検出器２６に入射する光のうち特定の波長成分の強度、または各成分の強度の合計、積分値等により信号光の強度を評価することができる。
【００７４】
検出される信号光の強度は、物体系光路上にある反射面に物体光学系２３が合焦するときに特に大きくなる。すなわち、図８下部に示すように、焦点位置調整量が第１調整量ＯＰ１である、つまり物体光学系２３が下部底面Ｓａに合焦するときと、焦点位置調整量が第２調整量ＯＰ２である、つまり物体光学系２３が上部底面Ｓｂに合焦するときとのそれぞれで強いピークが検出されると考えられる。これらのピーク位置から、焦点位置調整量ＯＰ１、ＯＰ２を特定することができる。具体的には、焦点深さを変えながら取得した信号光強度における２つの極大値のうち、容器底部１１１から遠い方の極大値を取るときの焦点位置調整量が第１調整量ＯＰ１に対応し、容器底部１１１に近い方の極大値を取るときの焦点位置調整量が第２調整量ＯＰ２に対応すると見なすことができる。前記したように、第１調整量ＯＰ１と第２調整量ＯＰ２との間の距離は、容器底部１１１の厚さＴを屈折率Ｎｃで除した値と等しい。
【００７５】
以上の処理によって、物体光学系２３が下部底面Ｓａに合焦するときの焦点位置調整量である第１調整量ＯＰ１、物体光学系２３が上部底面Ｓｂに合焦するときの焦点位置調整量である第２調整量ＯＰ２、および、容器底部１１１の厚さを容器材料の屈折率で除した値（Ｔ／Ｎｃ）が特定される。これらの情報を用いて容器底部１１１の光学的厚さを求めるための処理について、次に説明する。
【００７６】
図９は容器底部の光学的厚さを求めるための処理の原理を示す図である。図９に点線で示すように物体光学系２３の焦点位置調整量が第１調整量ＯＰ１に設定されるとき、物体光学系２３は容器１１の下部底面Ｓａに合焦する。このときの下部底面Ｓａまでの物体光路長を符号Ｌｏにより表す。このときの物体系光路には容器１１は含まれないので、物体光路長Ｌｏは装置各部の機械的寸法と第１調整量ＯＰ１と物体光学系２３の焦点距離ＦＤとを用いて一義的に表すことが可能である。また、参照光路長Ｌｒ１がこのときの物体光路長Ｌｏと等しくなるための参照ミラー２４の位置Ｐ１についても、第１調整量ＯＰ１がわかれば装置各部の機械的寸法から一義的に求めることが可能である。この位置Ｐ１を以下では「第１位置」と称する。
【００７７】
ここで、参照ミラー２４の位置を上記第１位置Ｐ１よりも参照光路長が長くなる位置Ｐ２に設定し、物体系光路上における参照基準面Ｓｒが容器底部１１１の内部に設定されるようにした場合を考える。この位置Ｐ２を以下では「第２位置」と称する。図ではこのときの参照光路長を符号Ｌｒ２として示しており、この値Ｌｒ２は先の値Ｌｒ１よりも大きい。物体系光路において、容器１１の上部底面Ｓｂと参照基準面Ｓｒとの距離を符号Ｔ１、下部底面Ｓａと参照基準面Ｓｒとの距離を符号Ｔ２により表す。図から明らかなように、これらの値Ｔ１、Ｔ２の和は容器底部１１１の物理的厚さＴに相当する。
【００７８】
このうち値Ｔ２については、参照ミラー２４の２つの位置Ｐ１，Ｐ２の間における参照光路長の差と容器材料の屈折率とを用いて次式：
Ｌｒ２−Ｌｒ１＝Ｔ２・Ｎｃ  …（５）
により表すことができる。式（５）の左辺は参照ミラー２４を第１位置Ｐ１から第２位置Ｐ２まで移動させるために必要な移動量に相当する。上記したように第１位置Ｐ１は第１調整量ＯＰ１を用いて特定することができるから、任意に設定される第２位置Ｐ２についても、その設定値から第１位置Ｐ１との距離を特定することが可能である。
【００７９】
また、値Ｔ１については次のようにして求めることができる。値Ｔ１は物体系光路における参照基準面Ｓｒと上部底面Ｓｂとの物理的距離であり、参照基準面Ｓｒと上部底面Ｓｂとの間の光路長は、両者の物理的距離と容器材料の屈折率との積Ｔ１・Ｎｃにより表すことができる。つまり、光検出器２６が出力する干渉信号から求められる深さ方向の反射光強度分布プロファイルでは、上部底面Ｓｂからの反射光に対応する信号Ｐｂは、参照基準面Ｓｒを深さ０としたとき深さＴ１・Ｎｃの位置に現れる。
【００８０】
以下では、この値Ｔ１・Ｎｃを、参照基準面Ｓｒと上部底面Ｓｂとの光学的距離という意味で「第１距離」と称することがある。また同様に、参照基準面Ｓｒと下部底面Ｓａとの光学的距離を表す値Ｔ２・Ｎｃを「第２距離」と称することがある。
【００８１】
したがって、シャッター２７が開かれた状態で干渉光を光検出器２６に受光させ、出力される干渉信号から求めた反射光強度分布プロファイルにおける上部底面Ｓｂの深さを求めることにより、値Ｔ１・Ｎｃを特定することが可能である。この場合、反射光強度分布において他の反射面に対応する信号の影響を受けることなく上部底面Ｓｂに対応する信号を特定するために、次の２点に留意することが望ましい。
【００８２】
第１に、物体光学系２３が上部底面Ｓｂからの反射光を最も効率よく集光することができるようにするために、物体光学系２３の焦点が上部底面Ｓｂに合っていることが望ましい。このとき反射光強度分布プロファイルにおいて上部底面Ｓｂに対応する信号Ｐｂのレベルが最大となるからである。焦点調整機構４１による物体光学系２３の焦点位置調整量を既に求められている第２調整量ＯＰ２またはそれに近い値に設定することで、この目的は達成される。
【００８３】
第２に、他の反射面からの反射に起因する複素共役信号が上部底面Ｓｂに対応する信号Ｐｂの近傍に現れないようにする必要がある。複素共役信号が信号Ｐｂに重畳されることで、信号が遮蔽されたりピーク位置がずれたりすることがあるからである。特に下部底面Ｓａからの強い反射光に起因する複素共役信号が問題となり得る。下部底面Ｓａに対応する複素共役信号Ｐａｃは、参照系光路における参照基準面Ｓｒから下部底面Ｓａまでの光路長に相当する深さ、つまり深さＴ２・Ｎｃの位置に現れる。一方、上部底面Ｓｂに対応する信号Ｐｂは深さＴ１・Ｎｃの位置に現れるから、両者を分離するためには第１距離Ｔ１、第２距離Ｔ２の差をできるだけ大きくするのが望ましい。
【００８４】
このことから、参照基準面Ｓｒは上部底面Ｓｂにできるだけ近い位置に設定されることが望ましい。これにより、反射光強度分布プロファイルにおいて最も参照基準面Ｓｒに近い、つまり浅い位置に現れる信号を上部底面Ｓｂに対応するものと見なすことができる。ただし、参照基準面Ｓｒが上部底面Ｓｂよりも被撮像物側に設定されると、媒質Ｍ内における光路長も考慮する必要が生じて処理が複雑になる。したがって、参照基準面Ｓｒは容器壁部１１１の内部に設定されることが望ましい。
【００８５】
この時点で容器底部１１１の光学的厚さＴ・Ｎｃは特定されていないから、参照系光路において上部底面Ｓｂに相当する位置、つまり上部底面Ｓｂまでの物体光路長と参照光路長とが等しくなる参照ミラー２４の位置を正確に把握することもできない。このため、参照基準面Ｓｒを容器壁部１１１内部の適当な位置に設定するために、何らかの仮定を導入する必要がある。
【００８６】
物体光学系２３の焦点位置調整量については第１調整量ＯＰ１および第２調整量ＯＰ２が既に特定されており、式（１）よりＴ／Ｎｃの値は求められるから、例えば容器底部１１１を構成する材料の屈折率Ｎｃを適宜の値に仮定して第１距離Ｔ・Ｎｃの概略値を見積もるという方法がある。
【００８７】
容器底部１１１の材料として使用され得る材料としてはガラス、石英および各種の樹脂などがあるが、これらの屈折率は概ね１．４５ないし１．６程度の範囲内にある。そこで、容器底部１１１が有する屈折率Ｎｃの値を、想定される屈折率の最小値以下の値、より好ましくはこれより小さい値、例えば１．４程度に仮設定してＴ・Ｎｃの値を求めれば、実際の底部１１１の光学的厚さよりも僅かに小さい値が得られる。第１位置Ｐ１からの距離がこの値となるような第２位置Ｐ２を特定してこの位置に参照ミラー２４を位置決めすることで、いずれの材料であっても参照基準面Ｓｒを確実に容器底部１１１の内部に設定することが可能となる。式（１）の関係から明らかなように、第１調整量ＯＰ１と第２調整量ＯＰ２との差の絶対値に仮設定した屈折率の値の２乗を乗じることで、必要な値は求められる。
【００８８】
また例えば、上記のように容器底部１１１の屈折率Ｎｃは１より大きいから、式（１）に示されるように、第１調整量ＯＰ１と第２調整量ＯＰ２との差は容器底部１１１の物理的厚さＴよりも小さい。したがって、第１位置Ｐ１と第２位置Ｐ２との距離が第１調整量ＯＰ１と第２調整量ＯＰ２との差となるように第２位置Ｐ２を設定することによっても、参照基準面Ｓｒを確実に容器底部１１１の内部に設定することが可能となる。
【００８９】
また例えば、容器底部１１１の材料の屈折率が既知である場合には、その値を用いて第２位置Ｐ２を適宜に設定することが可能である。また例えば、第２位置Ｐ２（またはそれを決定するための屈折率Ｎｃの仮設定値）をユーザの設定入力によって決めることのできる構成であってもよい。
【００９０】
ミラー駆動機構４２がこうして設定された第２位置Ｐ２に参照ミラー２４を位置決めし、また焦点調整機構４１が物体光学系２３の焦点位置調整量を第２調整量ＯＰ２に設定し、さらにシャッター２７が開かれた状態で、光検出器２６による干渉光の検出が行われる。こうして得られた干渉信号に基づく反射光強度分布から、第１距離Ｔ１・Ｎｃを上部底面Ｓｂに対応する信号Ｐｂの深さとして求めることが可能である。第２距離Ｔ２・Ｎｃは参照ミラー２４の設定位置から既知であるので、これらの値の和として容器底部１１１の光学的厚さＴ・Ｎｃが求められる。
【００９１】
このようにしてＯＰ１、ＯＰ２およびＴ・Ｎｃの各値が求められれば、それらの値および式（１）から容器底部１１１の厚さＴと屈折率Ｎｃとをそれぞれ一意に求めることが可能である。ただし、式（４）で示される焦点位置を特定するという目的からは、容器底部１１１の光学的厚さＴ・Ｎｃが求められば足り、厚さＴと屈折率Ｎｃとを個別に特定する必要は必ずしもない。
【００９２】
撮像時の焦点位置調整量ＯＰ３はユーザにより適宜設定される値である。以下では、この値ＯＰ３を「第３調整量」と称する。これまでの処理により値ＯＰ２、Ｔ・ＮｃおよびＮｓが既に判っているから、任意に設定される焦点位置調整量ＯＰ３に対して、式（４）より反射光強度分布における焦点位置Ｚｒｆを特定することができる。なお、撮像時においては基準参照面Ｓｒの位置、つまり参照光路長を焦点位置とは独立して設定することが可能である。任意の焦点位置調整量（第３調整量）ＯＰ３および参照光路長の設定値について成立する一般式は、次のようにして求めることが可能である。
【００９３】
図１０は参照光路長と焦点位置との関係を示す図である。基本的な考え方は上記と同じであるが、参照基準面Ｓｒの位置、つまり参照光路長Ｌｒが任意に設定され得る。反射光強度分布において参照基準面Ｓｒを基準としたときの焦点位置までの距離Ｚｆを求める。物体系光路における容器１１の下部底面Ｓａまでの物体光路長をＬｏとするとき、図１０（ａ）に示す関係から明らかなように、
Ｌｒ＋Ｚｆ＝Ｌｏ＋Ｚｒｆ＝Ｌｏ＋Ｄ・Ｎｓ＋Ｔ・Ｎｃ
＝Ｌｏ＋｜ＯＰ３−ＯＰ２｜・Ｎｓ2＋Ｔ・Ｎｃ  …  （６）
である。この式（６）の意義は次の通りである。
【００９４】
図１０（ｂ）に示すように、反射光強度分布から得られる断層画像Ｉｔは、参照基準面Ｓｒを画像の一端として所定の撮像範囲内の被撮像物の像を含む。この断層画像Ｉｔにおいて、参照基準面Ｓｒに対応する画像端から焦点位置までの距離、つまり画像中での焦点深さが式（６）における値Ｚｆにより表される。このように、式（６）により、断層画像Ｉｔ中における物体光学系２３の焦点深さＺｆと撮像時の焦点位置調整量ＯＰ３および参照光路長Ｌｒとが関連付けられる。
【００９５】
このため、例えば断層画像中における合焦位置を撮像時の条件から特定することが可能であり、表示される断層画像に焦点位置を表す情報を付加することができる。ＦＤ−ＯＣＴ撮像装置では被撮像物への光走査から断層画像化までの時間遅れを小さくすることができ、実質的にリアルタイムでの表示が可能である。リアルタイム表示される断層画像に合焦位置を示すラインやマーカー等を表示するようにすれば、ユーザは、顕微鏡観察の場合と同様に画像を見ながら焦点位置の調整を行うことが可能である。
【００９６】
また、例えば撮像範囲を変更する目的で参照光路長が変更された場合でも、参照基準面Ｓｒに対応する画像端と焦点位置との関係が求められるため、変更後に表示される断層画像においても焦点位置を正しく指摘することが可能である。すなわち、参照光路長の変更により断層画像に含まれる範囲が変化する場合でも、これに追従して焦点位置の表示位置を変化させることができる。
【００９７】
逆に言えば、画像端と表示上の焦点位置との距離を一定に維持した状態で焦点位置を移動させることも可能である。すなわち、物体光学系２３の位置調整量ＯＰ３が変更されたときに、式（６）に基づき画像内での焦点位置Ｚｆが一定となるように参照光路長Ｌｒを変化させることで、断層画像中における焦点位置を常に一定とすることができる。これにより、例えば常に画像中の特定位置（例えば中央）が焦点位置となるようにしたいという要求に応えることが可能である。
【００９８】
具体的には、焦点位置を断層画像中のどこに設定した画像を撮像するかを例えばユーザ設定により決定することが可能である。すなわち、画像端から焦点位置までの距離をユーザが設定しておけば、焦点位置を移動させたとしても画像内での焦点位置は変わらないようにすることができる。この場合、ユーザが焦点位置を変更する操作を行うと、被撮像物に対する合焦位置は移動するが断層画像内での焦点位置は変わらないので、焦点位置の変更に伴って被撮像物の像が深さ方向にスクロールすることになる。
【００９９】
また、ＯＣＴ撮像においては参照基準面の近傍において最も画像品質が良好である。焦点位置と参照基準面の位置との関係が明確になり両者の距離が管理されることで、これらの乖離に起因する画像品質の劣化を抑制することができる。特に、分解能を高くするために開口数の大きな物体光学系が使用される場合、被写界深度の範囲から外れることで参照基準面の近傍でも画像が不鮮明となることがあり得る。式（６）により焦点位置と参照基準面の位置とが明示されることにより、このような問題を未然に回避することが可能となる。例えばユーザの操作に応じて焦点位置および参照光路長が変更される撮像装置において、焦点位置と参照基準面との距離の上限を定めておき、これを超えるような設定を禁止するといった運用が可能である。
【０１００】
このように、容器底部１１１の厚さや屈折率等がわかっていない場合でも、撮像に供される容器１１に照明光を入射させて各種の計測を行うことにより、断層画像中における焦点位置を特定するための情報を取得することが可能である。以下、このための処理の具体的内容について説明する。
【０１０１】
図１１は焦点位置と参照光路長との関係を特定するための処理を示すフローチャートである。後述するように、この処理は、被撮像物を含む培地Ｍが担持された容器１１が撮像装置１にセットされた後に撮像の前処理として実行される。最初に物体光学系２３の焦点位置が初期設定される（ステップＳ１０１）。初期状態の焦点位置は適宜の位置に自動設定されてもよく、またユーザによる概略の調整操作により設定されてもよい。自動設定の場合には、容器１１の下部底面Ｓａよりもさらに下方で合焦するような設定が望ましい。また、シャッター２７が参照系光路上で参照光を遮蔽する遮蔽位置に位置決めされる（ステップＳ１０２）。
【０１０２】
この状態から、焦点調整機構４１が物体光学系２３を駆動して焦点位置を多段階に変更設定しながら、その都度光検出器２６が検出を行う（ステップＳ１０３）。このとき参照系光路の光は遮蔽されているため、物体系光路上の反射面からの反射光、つまり信号光のみが光検出器２６により検出される。物体系光路において最も物体光学系２３に近い位置で強い反射光を生じさせるのは容器１１の下部底面Ｓａであり、物体光学系２３が下部底面Ｓａに合焦するときその反射光強度は最大となる。そこで、物体光学系２３に最も近い位置に現れる第１のピークが下部底面Ｓａへの合焦状態を示すものとみなし、そのときの焦点位置調整量を第１調整量ＯＰ１として記憶する（ステップＳ１０４）。
【０１０３】
また、物体系光路において下部底面Ｓａに次いで物体光学系２３に近い位置で強い反射光を生じさせるのは容器１１の上部底面Ｓｂであり、物体光学系２３が上部底面Ｓｂに合焦するときその反射光強度は最大となる。そこで、第１のピークの次に現れる第２のピークが上部底面Ｓｂへの合焦状態を示すものとみなし、そのときの焦点位置調整量を第２調整量ＯＰ２として記憶する（ステップＳ１０５）。
【０１０４】
そして、これらの情報に基づいて参照ミラー２４に関する第１位置Ｐ１、第２位置Ｐ２が特定される（ステップＳ１０６）。具体的には、物体光学系２３の焦点位置調整量を第１調整量ＯＰ１に設定したときの物体光路長と参照光路長が等しくなる参照ミラー２４の位置が、第１位置Ｐ１として特定される。また、第１位置Ｐ１よりも参照光路長が長く、かつ第１位置Ｐ１からの距離が容器底部１１１の光学的厚さよりも小さい位置として、第２位置Ｐ２が特定される。そして、第１位置Ｐ１と第２位置Ｐ２との間の距離として、第２距離Ｔ２・Ｎｃが特定される。これらの位置および第２距離の値はメモリ３７に記憶される。
【０１０５】
次いで、焦点調整機構４１が物体光学系２３の焦点位置調整量を第２調整量ＯＰ２に設定し（ステップＳ１０７）、ミラー駆動機構４２が参照ミラー２４を第２位置Ｐ２に位置決めする（ステップＳ１０８）。また、シャッター２７は参照光を遮蔽することなく通過させる通過位置に位置決めされ、開状態とされる（ステップＳ１０９）。これらの処理順序は上記に限定されず任意である。
【０１０６】
この状態で、光検出器２６による検出を行う。このときに検出されるのは信号光と参照光とが合成された干渉光であり、信号処理部３３は検出された干渉光のスペクトルから深さ方向の反射光強度分布を算出する（ステップＳ１１０）。求められた反射光強度分布において最も浅い、つまり最も参照基準面Ｓｒに近い位置に現れる信号が容器の上部底面Ｓｂに対応する。この信号Ｐｂが現れる深さが第１距離Ｔ１・Ｎｃとして算出される（ステップＳ１１１）。第１距離Ｔ１・Ｎｃはメモリ３７に記憶される。
【０１０７】
ここまでに求められた各値から容器底部１１１の光学的厚さＴ・Ｎｃが求められる（ステップＳ１１２）。ここまでの処理により、式（６）に含まれるパラメータＯＰ２、Ｌｏ、Ｔ・Ｎｃがそれぞれ求められる。他のパラメータＬｒ、Ｚｆ、ＯＰ３は撮像時に決定され、屈折率Ｎｓは使用される培地Ｍに固有の値を有する。したがって、撮像前に取得しておくべきパラメータは全て取得された状態となる。
【０１０８】
以下は撮像において必須の処理ではないが、値ＯＰ１、ＯＰ２、Ｔ・Ｎｃが特定されていることから、これらの値と式（１）とを用いて容器１１の厚さＴおよび屈折率Ｎｃをそれぞれ算出することが可能である（ステップＳ１１３）。
【０１０９】
図１２はこの撮像装置における撮像処理を示すフローチャートである。培地Ｍ中に被撮像物を含む容器１１が保持部１０にセットされると（ステップＳ２０１）、ＣＰＵ３１が予め記憶された制御プログラムを実行し装置各部に以下に示す動作を行わせることで、撮像処理が実現される。まず、容器１１中の培地Ｍに関する培地情報の設定入力をユーザから受け付ける（ステップＳ２０２）。培地情報は使用されている培地Ｍの屈折率を特定するために必要な情報であり、屈折率の数値そのものであってもよく、また培地の種類を特定するものであってもよい。培地の種類と屈折率とを対応付けたテーブルを準備しておけば、これを参照することで、入力された培地の種類から屈折率を特定することが可能である。
【０１１０】
また、細胞や組織の培養を目的として一般的に使用される培地の屈折率は概ね１．３３ないし１．３７程度であり、培地の種類による差異はさほど大きくない。したがって、培地Ｍの屈折率については予め定められた規定値が用いられてもよい。
【０１１１】
次に、焦点位置と参照光路長との関係を特定するための撮像前処理が実行される（ステップＳ２０３）。撮像前処理の具体的な処理の流れについては先に説明した通りである。撮像前処理により、使用される容器１１に応じて各パラメータ、すなわち第１調整量ＯＰ１、第２調整量ＯＰ２および容器１１の光学的厚さＴ・Ｎｃが特定される。
【０１１２】
撮像前処理が終了すると、容器１１中の被撮像物の撮像が可能な状態となる。まず撮像時の条件に関するユーザからの設定入力が受け付けられる（ステップＳ２０４）。設定されるべき撮像条件は主として物体光学系２３の焦点位置調整量、つまり第３調整量ＯＰ３と参照ミラー２４の位置、つまり参照光路長Ｌｒとである。ただしこの時点では仮設定値であってよく、特に参照光路長Ｌｒについては予め定められた初期値が用いられてもよい。例えば画像中での焦点深さＺｆを画像の高さの半分としておけば、断層画像では焦点位置を中心として上下方向に同程度の広がりを有する範囲が表示されることとなるので、ユーザによる焦点位置の微調整がしやすくなる。これらの設定に応じて焦点調整機構４１が物体光学系２３を駆動して焦点位置を設定するとともに、ミラー駆動機構４２が参照ミラー２４の位置を設定する（ステップＳ２０５）。
【０１１３】
そして、撮像ユニット２０がＸ方向に光走査しながら干渉光のスペクトル情報を取得し（ステップＳ２０６）、それに基づき信号処理部３３が反射光強度分布を算出し（ステップＳ２０７）、被撮像物のうち光が走査された１つのＸＺ断面における断層画像を作成する。作成された断層画像については、焦点位置を示すマーカーとともに表示部３５２に表示することで（ステップＳ２０８）、ユーザに提示される。
【０１１４】
ユーザは、表示される画像を見て撮像範囲および焦点位置を調整することが可能である。すなわち、断層画像には被撮像物のうち撮像範囲内に含まれる部分の像が現れ、しかも焦点位置がマーカーにより明示されている。これを見てユーザが焦点位置や撮像範囲を変更したい場合には、入力デバイス３５１を介してその旨の設定入力を行うことができる。また、画像内での焦点位置が固定される表示態様がユーザにより選択されると、式（５）に基づき、焦点位置の設定に応じて参照ミラー２４の位置が自動的に調整される。ユーザがこれらの撮像条件の変更を希望するときにはステップＳ１０４に戻り（ステップＳ２０９においてＹＥＳ）、撮像条件が再設定される。
【０１１５】
このような撮像条件の調整を繰り返し変更が不要となれば（ステップＳ２０９においてＮＯ）、引き続き最終的な撮像が行われる（ステップＳ２１０）。このときの撮像は、１つのＸＺ断面についての撮像であってもよく、また照明光の入射位置をＹ方向に異ならせた複数のＸＺ断面についての撮像であってもよい。撮像により得られた断層画像のデータは画像メモリ３６に保存される。複数のＸＺ断面について撮像が行われた場合、それらの断層画像データから、３Ｄ復元部３４は必要に応じて被撮像物の立体像を作成する。
【０１１６】
以上のように、この実施形態は、照明光に対する光透過性の壁部（底部１１１）を有する容器１１に担持された培地Ｍ中の被撮像物をＯＣＴ撮像する撮像装置１である。この撮像装置１では、撮像前処理によって容器１１に関する各種情報を取得することにより、容器１１による屈折の影響を排除して、断層画像における撮像光学系２３の合焦位置を特定することが可能である。
【０１１７】
そのためユーザは、得られた断層画像がどの位置に合焦して撮像されたものかを知ることができ、画像の的確な評価が可能となる。また、リアルタイム表示される断層画像において合焦位置がマーカーにより示されることにより、被撮像物に対する焦点位置の調整や、断層画像内での焦点位置の設定を容易に行うことが可能となる。また、断層画像内に表示される焦点位置を予め設定しておけば、ユーザによる被撮像物に対する焦点位置の調整に応じて参照光路長を自動的に設定することができる。このように、本実施形態の撮像装置１は、ユーザが撮像原理に関する詳しい知識を有していなくても、その希望に応じた適切な断層画像を提供することができるものである。
【０１１８】
以上説明したように、上記実施形態の撮像装置１においては、撮像ユニット２０が本発明の「検出手段」として機能しており、焦点調整機構４１およびミラー駆動機構４２がそれぞれ本発明の「焦点位置調整手段」および「ミラー位置調整手段」として機能している。また、信号処理部３３が本発明の「信号処理手段」として機能し、ＣＰＵ３１が本発明の「焦点位置算出手段」として機能している。また、表示部３５２が本発明の「表示手段」および「表示装置」として機能する一方、入力デバイス３５１が本発明の「受付手段」として機能している。
【０１１９】
またシャッター２７が本発明の「シャッター部材」として機能している。また、上記実施形態においては、容器１１の下部底面Ｓａが本発明の「第１主面」に相当する一方、上部底面Ｓｂが「第２主面」に相当している。また、上記実施形態の培地Ｍが、本発明の「媒質」に相当している。
【０１２０】
なお、本発明は上記した実施形態に限定されるものではなく、その趣旨を逸脱しない限りにおいて上述したもの以外に種々の変更を行うことが可能である。例えば、上記実施形態の説明では、容器１１の下部底面Ｓａを位置基準として焦点位置を導出し式（３）および式（４）を得ている。これは、容器１１の下部底面Ｓａの位置が容器底部１１１の厚さや屈折率に影響されずに特定可能であるため、直接的な位置基準として適切であると考えられるからである。しかしながら、上記したように、撮像前処理によって容器１１の上部底面Ｓｂの位置についても間接的に特定可能であることから、上部底面Ｓｂを位置基準として焦点位置を特定するようにしてもよい。この場合、式（４）の右辺第１項によって焦点位置を表すことができる。どの位置を基準として焦点位置を表すかは任意であり、基準位置に応じて各式を適宜改変することにより、上記技術思想と実質的に等価な処理を実現することが可能である。
【０１２１】
また、上記実施形態では、被撮像物を担持する容器１１の底部１１１を介して撮像ユニット２０が下方から撮像を行うが、撮像の方向は上記に限定されず任意である。例えば容器の側壁を介して撮像が行われる場合にも、上記手法を適用可能である。
【０１２２】
また、上記実施形態の撮像装置１はＦＤ−ＯＣＴ撮像原理に基づく撮像装置であるが、ＦＤ−ＯＣＴに限定されず、光干渉を利用した種々の断層撮像技術に対し本発明の技術思想を適用可能である。
【０１２３】
また例えば、上記実施形態の被撮像物は浅皿型のディッシュと呼ばれる容器１１に担持されたスフェロイドＳｐであるが、被撮像物およびそれを担持する容器の種類はこれに限定されない。例えば、試料を担持可能な複数のウェルが１つのプレートに設けられたウェルプレートで培養された細胞等が被撮像物とされてもよい。
【０１２４】
また上記実施形態では、被撮像物であるスフェロイドＳｐの全体が撮像ユニット２０の深さ方向における撮像範囲内に収まるという前提で説明した。一方で、深さ方向に撮像範囲を変えて撮像された部分画像を合成することで広範囲の断層画像を得る方法もある。特に物体光学系２３に高倍率、高分解能を求めると物体光学系の被写界深度が浅くなるため、本来的には深さ方向に広く撮像可能なＦＤ−ＯＣＴ装置であっても、１回の撮像で得られる画像の深さ方向の範囲は限定される。このような場合にも、上記手法でそれぞれ撮像された部分画像を合成することにより、広範囲をカバーし画像品質の良好な断層画像を得ることが可能となる。
【０１２５】
また、上記実施形態の制御ユニット３０としては、パーソナルコンピュータやワークステーション等の一般的な構成の汎用処理装置を用いることも可能である。すなわち、撮像ユニット２０、駆動制御部４０およびこれらの動作させるための最小限の制御機能を有する撮像装置と、上記処理内容を記述した制御プログラムを実行することで制御ユニット３０として機能するパーソナルコンピュータ等との組み合わせにより、画像処理装置１が構成されてもよい。
【０１２６】
以上、具体的な実施形態を例示して説明してきたように、本発明にかかる撮像方法は、例えば、物体光学系の光軸方向の焦点位置調整量を変更しながら信号光を検出して、信号光の強度が極大となる２つの反射面を探索し、該２つの反射面のうち物体光学系に近い側の一方を第１主面、他方を第２主面とみなす構成であってよい。このような構成によれば、容器外部との境界で強い反射面となる第１主面と、媒質との境界で強い反射面となる第２主面とを確実に見出すことができる。
【０１２７】
また例えば、第２距離は、第１調整量と第２調整量との差に、壁部の屈折率としての仮定値の２乗を乗じた値以下に設定されてよい。このような構成によれば、屈折率が未知である容器に対しても、参照基準面を壁部内部の適宜の位置に設定することが可能となる。
【０１２８】
また例えば、本発明にかかる撮像装置は、参照光の光路に開閉可能なシャッター部材が設けられた構成であってよい。このような構成によれば、シャッター部材が参照光を通過させる開状態で、信号光との干渉光を生成させることが可能である。また、シャッター部材が参照光を遮蔽する閉状態では信号光のみを検出することが可能となり、例えば物体光学系が容器の第１主面に合焦する条件を容易に見出すことが可能になる。
【０１２９】
また例えば、本発明にかかる撮像方法は、焦点位置を示す情報が付加された断層画像を表示装置に表示させる構成であってよい。また、本発明にかかる撮像装置は、例えば焦点位置を示す情報が付加された断層画像を表示する表示手段を備える構成であってよい。このような構成によれば、撮像時の合焦位置をユーザに提示することができる。
【０１３０】
また例えば、第３調整量に関する設定入力を受け付け、該設定入力に応じて物体光学系の焦点位置調整量を設定する構成であってよい。このような構成によれば、ユーザが撮像時の焦点位置を所望の位置に設定して撮像を行うことができる。
【０１３１】
また例えば、第３調整量をユーザから受け付けた設定入力に応じて設定し、参照ミラーの位置を第３調整量の設定値に応じて変更する構成であってよい。このような構成によれば、ユーザが焦点位置を調整することで参照光路長が自動的に設定されるので、ユーザによる調整操作を効果的に支援することができる。
【産業上の利用可能性】
【０１３２】
この発明は、ＯＣＴ撮像技術全般に適用することができる。特に、ディッシュ等の容器中で培養された細胞や細胞集塊を撮像する医学・生化学・創薬の分野において好適に適用することができる。
【符号の説明】
【０１３３】
１  画像処理装置（撮像装置）
１１  容器
２０  撮像ユニット（検出手段）
２７  シャッター（シャッター部材）
３１  ＣＰＵ（焦点位置算出手段）
３３  信号処理部（信号処理手段）
４０  駆動制御部
４１  焦点調整機構（焦点位置調整手段）
４２  ミラー駆動機構（ミラー位置調整手段）
１１１  （容器１１の）底部（壁部）
Ｓａ  （容器１１の）下部底面（第１主面）
Ｓｂ  （容器１１の）上部底面（第２主面）
Ｓｆ  焦点面
Ｓｐ  スフェロイド（被撮像物）
Ｓｒ  基準参照面
【図１】
2018132466.tif 000003
【図２】
2018132466.tif 000004
【図３】
2018132466.tif 000005
【図４】
2018132466.tif 000006
【図５】
2018132466.tif 000007
【図６】
2018132466.tif 000008
【図７】
2018132466.tif 000009
【図８】
2018132466.tif 000010
【図９】
2018132466.tif 000011
【図１０】
2018132466.tif 000012
【図１１】
2018132466.tif 000013
【図１２】
2018132466.tif 000014